(57)【要約】【課題】装着時に指袋が過剰に伸張することを抑制でき、かつ幅広い使用者に快適なフィット感を与えることが可能な指袋を有する手袋を提供する。【解決手段】指袋１３の指接続部１３Ｃのうち、幅方向における一方の側部および他方の側部の２か所で、第１皮革材料１６ａと手掌側皮革材料１７とが互いに直接接続される。指接続部１３Ｃのうち、一方の側部２４ａおよび他方の側部２４ｂ以外の領域では第１皮革材料１６ａと手掌側皮革材料１７とが伸縮部材１８により接続される。【選択図】図３
2014221949.tif 000002
【特許請求の範囲】
【請求項１】
使用者の指を収納可能な指袋を備える手袋であって、
前記指袋は、
使用者の指の手甲側に当接可能な指手甲部と、
使用者の指の手掌側に当接可能な指手掌部と、
前記指手甲部と前記指手掌部とを接続する指接続部とを含み、
前記指手甲部は先端側に第１皮革材料を有し、
前記指手掌部は手掌側皮革材料を有し、
前記指接続部のうち前記指袋の伸びる方向に交差する幅方向における一方の側部および前記一方の側部に対向する他方の側部の２か所で、前記第１皮革材料と前記手掌側皮革材料とが互いに直接接続され、
前記指接続部のうち前記一方および他方の側部以外の領域では前記第１皮革材料と前記手掌側皮革材料とが伸縮部材により接続されている、手袋。
【請求項２】
前記指接続部のうち前記一方および他方の側部では、前記第１皮革材料の一部が前記指袋の伸びる方向に対して斜め方向に伸びている、請求項１に記載の手袋。
【請求項３】
使用者の指の第２関節に当接可能な第２関節部位における前記指接続部で、前記第１皮革材料の一部が前記指袋の伸びる方向に対して斜め方向に伸びている、請求項２に記載の手袋。
【請求項４】
使用者の指の第１関節に当接可能な第１関節部位における前記指接続部で、前記第１皮革材料の一部が前記指袋の伸びる方向に対して斜め方向に伸びている、請求項２に記載の手袋。
【請求項５】
前記第１皮革材料の付根側端部には前記伸縮部材の一部が接続されており、
前記指袋の伸びる方向において、前記指手甲部における前記第１皮革材料の前記付根側端部のうち最も指先側の部分は、前記一方および他方の側部より指先側に位置する、請求項１〜４のいずれか１項に記載の手袋。
【請求項６】
前記伸縮部材は、前記指袋の伸びる方向に関するすべての場所において、前記指袋の外周の少なくとも一部に配置される、請求項１〜５のいずれか１項に記載の手袋。
【請求項７】
前記伸縮部材は、前記第１皮革材料下に延在し、前記指手甲部の内周面を覆うように形成されている、請求項１〜６のいずれか１項に記載の手袋。
【請求項８】
前記指袋は使用者の中指を収納可能な中指袋または薬指を収納可能な薬指袋である、請求項１〜７のいずれか１項に記載の手袋。
【請求項９】
前記指手甲部は前記第１皮革材料よりも付根側に第２皮革材料を有する、請求項１〜８のいずれか１項に記載の手袋。
【発明の詳細な説明】
【技術分野】
【０００１】
本発明は手袋に関し、特に指袋の一部が伸縮部材で形成された手袋に関する。
【背景技術】
【０００２】
手袋を装着した装着者が、指を曲げたときに指部に手袋の快適なフィット感を得るために、指部を収納する指袋の一部に伸縮部材が用いられることがある。たとえば実用新案登録第３１５６９５７号公報（以下、「特許文献１」と呼ぶ）では、指袋の手甲側と手掌側との接続部、および第２関節部位に伸縮部材が配置されている。
【先行技術文献】
【特許文献】
【０００３】
【特許文献１】実用新案登録第３１５６９５７号公報
【発明の概要】
【発明が解決しようとする課題】
【０００４】
しかし特許文献１の指袋は、指先部のみで手甲側の皮革材料と手掌側の皮革材料とが直接接続されている。そして、指先部以外の側部では、その全体において手甲側の皮革材料と手掌側の皮革材料との間に伸縮部材が介在しており、当該伸縮部材により両皮革材料が接続されている。このように側部の全体において手甲側の皮革材料と手掌側の皮革材料との間に伸縮部材が介在する場合、使用者が指袋に指を入れる際に指袋が過剰に伸張し、その結果として指袋が捩れるという問題点がある。特許文献１ではこのように指袋が伸張したとしても使用者の指の先端部に快適なフィット感を与える観点から、フラップが設けられているものと推察できる。
【０００５】
本発明は、上記の課題に鑑みてなされたものであり、その目的は、装着時に指袋が過剰に伸張することを抑制でき、かつ幅広い使用者に快適なフィット感を与えることが可能な指袋を有する手袋を提供することである。
【課題を解決するための手段】
【０００６】
本発明の実施の形態に係る手袋は、使用者の指を収納可能な指袋を備える手袋である。指袋は、使用者の指の手甲側に当接可能な指手甲部と、使用者の指の手掌側に当接可能な指手掌部と、指手甲部と指手掌部とを接続する指接続部とを含む。上記指手甲部は先端側に第１皮革材料を有し、指手掌部は手掌側皮革材料を有する。上記指接続部のうち指袋の伸びる方向に交差する幅方向における一方の側部および一方の側部に対向する他方の側部の２か所で、第１皮革材料と手掌側皮革材料とが互いに直接接続される。上記指接続部のうち一方および他方の側部以外の領域では第１皮革材料と手掌側皮革材料とが伸縮部材により接続されている。
【発明の効果】
【０００７】
本発明によれば、指袋の側部の両側での一部において指手甲部の第１皮革材料と指手掌部の皮革材料とが直接接続されるため、手袋を装着する時に指袋の先端部が過剰に伸張する可能性を低減することができる。また上記指袋の側部の一部以外においては上記第１皮革材料と指手掌部の皮革材料とが伸縮部材を介在して接続されるため、適度に伸縮可能となり、幅広い使用者に快適なフィット感を与えることができる。
【図面の簡単な説明】
【０００８】
【図１】本発明の手袋の主に手甲部の構成を示す概略図である。
【図２】本発明の手袋の主に手掌部の構成を示す概略図である。
【図３】本発明の実施の形態１に係る、図１および図２の中指袋の主に手甲側の構成を示す概略平面図である。
【図４】図３の中指袋を図３中の矢印ＩＶに示す方向から見た概略側面図である。
【図５】図３の中指袋の、図３中のＶ−Ｖ線に沿う部分における概略断面図である。
【図６】図４の中指袋の変形例を示す概略側面図である。
【図７】本発明の実施の形態２に係る、中指袋の主に手甲側の構成を示す概略平面図である。
【図８】図７の中指袋を図７中の矢印ＶＩＩＩに示す方向から見た概略側面図である。
【図９】図７の中指袋の、図７中のＩＸ−ＩＸ線に沿う部分における概略断面図である。
【図１０】本発明の実施の形態３に係る、中指袋の主に手甲側の構成を示す概略平面図である。
【図１１】図１０の中指袋を図１０中の矢印ＸＩに示す方向から見た概略側面図である。
【図１２】図１０の中指袋の、図１０中のＸＩＩ−ＸＩＩ線に沿う部分における概略断面図である。
【発明を実施するための形態】
【０００９】
（実施の形態１）
まず図１および図２を用いて、本実施の形態の手袋の構成について説明する。
【００１０】
図１を参照して、手袋１０は通常ゴルフ競技に用いられるものであり、手甲部１０Ｂと、手掌部１０Ｐと、接続部１０Ｃとを主に有している。
【００１１】
手甲部１０Ｂは使用者の手の甲（手甲側）に当接可能な（手甲側を覆う）領域であり、図１には主に手甲部１０Ｂの構成を示している。手掌部１０Ｐは使用者の掌（手掌側）に当接可能な（手掌側を覆う）領域であり、図２には主に手掌部１０Ｐの構成を示している。掌とは使用者の手の特に手首の先の内側の領域であり、手の甲とは掌の反対側の領域であるため、手甲部１０Ｂと手掌部１０Ｐとは互いに反対側（表裏）の関係にある。接続部１０Ｃは手甲部１０Ｂと手掌部１０Ｐとの間に介在することにより手甲部１０Ｂと手掌部１０Ｐとを接続する、手袋１０の厚み（手袋１０の側面のマチと呼ばれる部分）を形成する領域である。
【００１２】
手甲部１０Ｂは、手甲部本体１と、指袋３の一部分（指袋３のうち手甲側の部分）とを有している。手甲部本体１は、手袋１０の使用者の手甲側のうち指を除く部分を覆う領域である。指袋３は、親指袋１１と、人差し指袋１２と、中指袋１３と、薬指袋１４と、小指袋１５とを有しており、順に使用者の親指、人差し指、中指、薬指、小指を収納可能とする。
【００１３】
手掌部１０Ｐは、手掌部本体２と、指袋３の一部分（指袋３の手掌側の部分）とを有している。手掌部本体２は、手袋１０の使用者の手掌側のうち指を除く部分を覆う領域である。
【００１４】
手甲部本体１と手掌部本体２と、手甲部本体１と手掌部本体２とを接続する接続部１０Ｃとにより構成される袋状の部分が、使用者の手のうち指部を除く部分を収納する領域である。また指袋３は、手袋１０の使用者の指を収納可能な領域であり、手甲部１０Ｂの指袋３の一部分と手掌部１０Ｐの指袋３の一部分とが接続部１０Ｃにより接続されている。
【００１５】
手首部４は使用者の手首を覆う領域であり、使用者の手の出入口に相当する領域である。
【００１６】
手甲部１０Ｂの手甲部本体１はたとえば一般公知の皮部材（たとえば天然の革、または湿式合成皮革などの合成皮革）である手甲側皮革材料１６により形成されている。また図１においては手甲部本体１には使用者の手に対する手袋１０のフィット感を高めるための面ファスナーが設けられているが、このような構成を有さなくてもよい。なおここで「皮革」とは、天然皮革と人工皮革と合成皮革とを含むものとする。
【００１７】
また手甲部１０Ｂの指袋３の一部分（親指袋１１〜小指袋１５の一部分）が、上記の手甲部本体１と同じ手甲側皮革材料１６を含むように形成されている。後述するように手甲部１０Ｂの指袋３の一部分には、たとえば高伸縮性ニットなどの伸縮部材１８が形成されている。なお手甲部本体１の一部の領域に伸縮部材１８が配置されていてもよい。また、手甲部１０Ｂの伸縮部材１８には手甲部１０Ｂの手甲側皮革材料１６に覆われ露出しない態様で配置される領域が存在してもよい。
【００１８】
手掌部１０Ｐの手掌部本体２はたとえば一般公知の皮革材料（たとえば天然皮革もしくは合成皮革）である手掌側皮革材料１７により形成されている。手掌側皮革材料１７は、手掌部本体２から手掌部１０Ｐの指袋３の部分にまで連続するように１枚の材料として配置されることが好ましい。
【００１９】
手甲部本体１と手掌部本体２との接続部１０Ｃでは、基本的に手甲部本体１の手甲側皮革材料１６と手掌部本体２の手掌側皮革材料１７とが直接縫合されることにより接続されている。これに対して、手甲部１０Ｂの指袋３の一部分と手掌部１０Ｐの指袋３の一部分との接続部１０Ｃには、少なくとも一部に伸縮部材１８が配置されている。この伸縮部材１８により、手甲部１０Ｂの指袋３の一部分と手掌部１０Ｐの指袋３の一部分とが互いに接続されている。ただし指袋３のなかでもたとえば親指袋１１は、人差し指袋１２側の側面において手甲部１０Ｂと手掌部１０Ｐとの接続部１０Ｃに伸縮部材１８が配置されず、強度を維持する観点から手甲側皮革材料１６と手掌側皮革材料１７とが直接接続されてもよい。また人差し指袋１２の親指側接続部１２ｓ１は、その強度を維持する観点から、伸縮部材１８が配置されずに手甲側皮革材料１６と手掌側皮革材料１７とが直接接続されていることが好ましい。
【００２０】
以上のように手甲部１０Ｂ、手掌部１０Ｐおよび接続部１０Ｃは、ここでは手袋１０の全体における使用者の手の甲側を覆う領域、手の掌側を覆う領域およびそれらの接続部を意味している。つまりここでは手甲部１０Ｂ、手掌部１０Ｐおよび接続部１０Ｃは、指袋３および指袋３以外の領域（手甲部本体１など）の双方に形成されている。
【００２１】
また接続部１０Ｃは、手甲側皮革材料１６と手掌側皮革材料１７とが直接縫合されることにより接続されている領域と、手甲側皮革材料１６と手掌側皮革材料１７との間に介在する伸縮部材１８として存在する領域との双方を含んでいる。
【００２２】
次に図３〜図５を参照しながら、実施の形態１の指袋３の構成について詳細に説明する。
【００２３】
図３および図４を参照して、指袋３のたとえば中指袋１３は、指手甲部１３Ｂと、指手掌部１３Ｐと、指手甲部１３Ｂと指手掌部１３Ｐとを接続する指接続部１３Ｃとを有している。言い換えれば指手甲部１３Ｂは中指袋１３における手甲部１０Ｂ側の部分であり、指手甲部１３Ｂは手甲部１０Ｂの一部である。同様に、指手掌部１３Ｐは中指袋１３における手掌部１０Ｐ側の部分であり、指手掌部１３Ｐは手掌部１０Ｐの一部である。指接続部１３Ｃは中指袋１３における接続部１０Ｃに対応する部分であり、指接続部１３Ｃは接続部１０Ｃの一部である。
【００２４】
指手甲部１３Ｂは上記のように、少なくとも一部に（たとえば手甲部本体１と同じ材料からなる）手甲側皮革材料１６を含むように形成されており、かつ少なくとも一部に伸縮部材１８を含むように形成されている。ただし指手甲部１３Ｂの手甲側皮革材料１６は、中指袋１３の先端側（使用者の指の先端側に当接する領域）に配置される第１皮革材料としての手甲先端側皮革材料１６ａと、中指袋１３の先端側皮革材料１６ａよりも付根側（使用者の指の付根側に当接する領域）に配置される第２皮革材料としての手甲付根側皮革材料１６ｂとの２つの部分に分かれている。手甲先端側皮革材料１６ａと手甲付根側皮革材料１６ｂとはいずれも同一の皮革材料により形成されていてもよいが、互いに異なる材料により形成されてもよい。
【００２５】
手甲先端側皮革材料１６ａは、中指袋１３の先端側から中指袋１３の伸びる方向（使用者の指の伸びる方向に対応し、図の左右方向に相当）の概ね中央部（もしくは中央部よりやや付根側）まで伸びている。中指袋１３の中央部（もしくは中央部よりやや付根側）は、使用者の指のいわゆる第２関節に当接可能な第２関節部位２２である。つまり手甲先端側皮革材料１６ａは、中指袋１３の第２関節部位２２の一部、および第２関節部位２２よりも先端側に配置されている。
【００２６】
手甲付根側皮革材料１６ｂは、中指袋１３の付根側から中指袋１３の延びる方向のおおむね中央部の第２関節部位２２の近傍（より正確には第２関節部位２２よりもやや先端側）まで伸びている。また伸縮部材１８は後に詳述する態様で、手甲先端側皮革材料１６ａと手甲付根側皮革材料１６ｂとの周囲を連続的に囲むように配置されている。
【００２７】
指手掌部１３Ｐは上記のように、（たとえば手掌部本体２と同じ材料からなる）手掌側皮革材料１７を有するように形成されている。中指袋１３の第２関節部位２２の指接続部１３Ｃにおいて、手甲先端側皮革材料１６ａと手掌側皮革材料１７とが互いに直接（両者の間に他の部材を介在することなく）接続されている。
【００２８】
指接続部１３Ｃは、指手甲部１３Ｂの側部（中指袋１３が伸びる方向に交差する幅方向の端部、すなわち、図３の上側および下側の端部を中指袋１３が伸びる方向に沿って伸びる領域）と先端部（図３の右側の領域）とを結ぶように曲線状に伸びている。すなわち指手甲部１３Ｂから見て一方の側部（図３の上側の側部すなわち中指袋の薬指側接続部１３ｓ１）から、指手甲部１３Ｂの先端部を経由して一方の側部に対向する他方の側部（図３の下側の側部すなわち中指袋の人差し指側接続部１３ｓ２）にまで曲線状に伸びる指接続部１３Ｃが形成される。
【００２９】
以上をまとめると、（特に第２関節部位２２における）上記一方の側部２４ａと、第２関節部位２２における上記他方の側部２４ｂとの２か所で、手甲先端側皮革材料１６ａと手掌側皮革材料１７とが互いに直接接続されている。
【００３０】
したがって図３および図４を参照して、指手甲部１３Ｂの手甲先端側皮革材料１６ａは、その一部が指接続部１３Ｃ（具体的には一方および他方の側部２４ａ，２４ｂ）まで伸びるように配置されている。
【００３１】
手甲先端側皮革材料１６ａは、中指袋１３の第２関節部位２２よりも先端側において、中指袋１３の伸びる方向に沿って、中指袋１３の伸びる方向に交差する方向である幅方向のほぼ全体を占めるように（ほぼ一定の幅を有するように）配置されている。ただし手甲先端側皮革材料１６ａは、第２関節部位２２においては、幅方向に関する側部近傍すなわち指接続部１３Ｃの近傍のみに配置されている。指接続部１３Ｃ（一方および他方の側部２４ａ，２４ｂ）で中指袋１３の側部近傍のみに配置される手甲先端側皮革材料１６ａは、中指袋１３の伸びる方向に対して斜め方向に伸びている。第２関節部位２２の手甲先端側皮革材料１６ａは中指袋１３の伸びる方向および幅方向のいずれにも平行にならないように、中指袋１３の付根側に向かうにつれて一方および他方の側部２４ａ，２４ｂに向かうように伸びている。
【００３２】
また、異なる観点から言えば、手甲先端側皮革材料１６ａは、中指袋１３の第２関節部位２２より先端側において指手甲部１３Ｂのほぼ全面を覆う第１の部分と、第２関節部位２２の一方および他方の側部２４ａ、２４ｂに向かうように、上記第１の部分から突出する突出部とを含む。突出部は、中指袋１３の伸びる方向に対して斜め方向に延びている（中指袋１３の先端側から根元側に向かうにつれて、指手掌部１３Ｐに徐々に近づくように形成されている）。
【００３３】
手甲付根側皮革材料１６ｂは、中指袋１３の第２関節部位２２の一部、および第２関節部位２２よりも付根側に配置されている。手甲付根側皮革材料１６ｂは、指手甲部１３Ｂの第２関節部位２２よりも付根側において、中指袋１３の幅方向に関する比較的中央部に、ほぼ一定の幅を有するように形成されている。第２関節部位２２よりも付根側における手甲付根側皮革材料１６ｂの幅は、第２関節部位よりも先端側における手甲先端側皮革材料１６ａの幅よりも狭いことが好ましい。
【００３４】
図３および図４を参照して、第２関節部位２２よりも先端側における（指手甲部１３Ｂの）手甲先端側皮革材料１６ａは、その幅方向および先端側に関する外側が伸縮部材１８により囲まれている。第２関節部位２２よりも付根側における（指手甲部１３Ｂの）手甲付根側皮革材料１６ｂは、その幅方向および先端側に関する外側が伸縮部材１８により囲まれている。
【００３５】
このうち手甲先端側皮革材料１６ａの幅方向に関する外側を囲む伸縮部材１８は、（指手甲部１３Ｂの）手甲先端側皮革材料１６ａと（指手掌部１３Ｐの）手掌側皮革材料１７との間に挟まれるように、指接続部１３Ｃに配置される。つまり手甲先端側皮革材料１６ａと手掌側皮革材料１７とが、両者の間に介在する伸縮部材１８により接続される。
【００３６】
また手甲付根側皮革材料１６ｂの幅方向に関する外側を囲む伸縮部材１８は、（指手甲部１３Ｂの）手甲付根側皮革材料１６ｂと（指手掌部１３Ｐの）手掌側皮革材料１７との間に挟まれるように、指接続部１３Ｃに配置される。。つまり手甲先端側皮革材料１６ａと手掌側皮革材料１７とが、両者の間に介在する伸縮部材１８により接続される。
【００３７】
したがって、第２関節部位２２においては手甲先端側皮革材料１６ａと手掌側皮革材料１７とが（指接続部１３Ｃの）一方の側部２４ａおよび他方の側部２４ｂとの２か所で直接接続されるが、それ以外の領域では手甲先端側皮革材料１６ａ（手甲付根側皮革材料１６ｂ）と手掌側皮革材料１７とは（指接続部１３Ｃの）伸縮部材１８により接続される。
【００３８】
また、手甲付根側皮革材料１６ｂの先端側と手甲先端側皮革材料１６ａの後端部との間にも伸縮部材１８は配置されている。つまり、第２関節部位２２では、手甲付根側皮革材料１６ｂの先端側と手甲先端側皮革材料１６ａの後端部とが伸縮部材１８により接続されている。
【００３９】
また、上述のように手甲先端側皮革材料１６ａの突出部は中指袋１３の伸びる方向に対して斜め方向に延びており、図３に示すように手甲先端側皮革材料１６ａの上記第１の部分の付根側の端部（第１の部分の付根側端部のうち最も指先側の部分２２ｂ）は、一方および他方の側部２４ａ、２４ｂより先端側に位置する。そのため、第２関節部位２２において手甲付根側皮革材料１６ｂの周囲を取り巻く伸縮部材１８は、中指袋１３の伸びる方向に対して斜め方向に伸びている。つまり図４の領域２２ａに示すように、特に第２関節部位２２において指手甲部１３Ｂから指接続部１３Ｃを経由して指手掌部１３Ｐにまで伸びる伸縮部材１８は、指手甲部１３Ｂ側から指手掌部１３Ｐ側に向かうにつれて付根側に向かうように斜め方向に伸びている。このため、伸縮部材１８は、中指袋１３の伸びる方向に関するすべての場所において、中指袋１３の外周の少なくとも一部に配置されている。
【００４０】
以下にこのことについて図４を参照しながら具体的に説明する。まず手甲付根側皮革材料１６ｂの周囲を取り巻く伸縮部材１８に着目する。この伸縮部材１８は、中指袋１３の付根側から領域２２ａを経由して部分２２ｂにまで伸びている。次に手甲先端側皮革材料１６ａの周囲を取り巻く伸縮部材１８に着目する。この伸縮部材１８は、一方および他方の側部２４ａ，２４ｂの先端側の端部２２ｃおよび端部２２ｃより先端側の指接続部１３Ｃに位置し、手甲先端側皮革材料１６ａの周囲を連続的に囲むように伸びている。なお端部２２ｄは、一方および他方の側部２４ａ，２４ｂの付根側の端部である。
【００４１】
このため仮に、中指袋１３の伸びる方向に関して部分２２ｂと端部２２ｃとが同じ位置にあるか、部分２２ｂが端部２２ｃより先端側に位置すれば、中指袋１３の伸びる方向に関するすべての場所において中指袋１３の外周の一部に伸縮部材１８が配置されることになる。
【００４２】
手甲付根側皮革材料１６ｂの周囲を取り巻く伸縮部材１８は、最も先端側の端部（図３，４の手甲先端側皮革材料１６ａの部分２２ｂに接続された部分）の近傍においては、中指袋１３の幅方向に伸びている。この領域がちょうど第２関節部位２２に相当することが好ましい。
【００４３】
なお図５を参照して、実際には伸縮部材１８は、図１〜図４に示す領域のみならず、たとえば手甲側皮革材料１６（手甲先端側皮革材料１６ａおよび手甲付根側皮革材料１６ｂ）の真下に重なる部分にも延在するように配置される場合もある。つまり図５の場合、伸縮部材１８は、指手甲部１３Ｂおよび指接続部１３Ｃの大部分を占めるように配置されており、そのうちの一部（たとえば図３および図４において伸縮部材１８が表出する領域）では手甲側皮革材料１６が重なっておらずに伸縮部材１８が露出した態様となっている。この領域が図５中の伸縮部材露出部１９である。このように伸縮部材１８が指手甲部１３Ｂの大部分を占めるように（指手甲部１３Ｂおよび指接続部１３Ｃの内周面を構成するように）配置されれば、伸縮部材１８の端部（伸縮部材１８が部分的に配置された場合に発生する、伸縮部材１８が配置される領域と配置されない領域との境界部）が少なくなる。このため使用者は指袋３（中指袋１３）内部の伸縮部材１８の端部に引っかかることなくスムーズに指を出し入れすることができる。
【００４４】
しかし別の例として、たとえば指手甲部１３の中でも特に手甲付根側皮革材料１６ｂの一部の領域２５（幅方向に関する中央部）には伸縮部材１８が配置されなくてもよい（たとえば伸縮部材１８に開口部が形成されていてもよい）。またさらに別の例として、伸縮部材露出部１９およびその極近傍以外の領域には伸縮部材１８が配置されない（たとえば図１〜図４に伸縮部材１８を示す領域とその近傍（接続部となる部分）のみに実際に伸縮部材１８が配置される）構成であってもよい。
【００４５】
以上の図３〜図５においては指袋３のうち中指袋１３を例に説明しているが、上記の指袋３の構成上の特徴は中指袋１３および薬指袋１４に適用されることが特に好ましい。ただし小指袋１５にも同様の構成が適用されてもよい。
【００４６】
次に、本実施の形態の作用効果について説明する。
本実施の形態の手袋１０は、指袋３（中指袋１３）の一方の側部２４ａと他方の側部２４ｂの２か所で、手甲先端側皮革材料１６ａと手掌側皮革材料１７とが互いに接続されている。この領域は伸縮部材１８が存在せず皮革材料で形成されるため、たとえば指袋の側部の全体が伸縮部材で形成される場合に起こり得る問題（手袋１０の装着時に側部が過剰に伸張して先端部が指の長さに対して余剰となり使用者が指先部において不快感を覚えるという問題）の発生可能性を低減することができる。つまり側部２４ａ，２４ｂにおいて皮革材料同士が直接接続していることにより、指袋を適切な長さに保つことができるので、使用者の装着時の快適度を高めることができる。
【００４７】
一方、本実施の形態の手袋１０は、指接続部１３Ｃのうち上記一方および他方の側部２４ａ，２４ｂ以外の領域では手甲先端側皮革材料１６ａと手掌側皮革材料１７とが伸縮部材１８により接続されている。したがって指袋３（中指袋１３）は使用者の指のサイズに応じて適宜伸縮可能となるため、指の太さなどの異なる幅広い使用者が装着時に適度なフィット感を得ることが可能となる。
【００４８】
上記一方および他方の側部２４ａ，２４ｂにおいて手甲先端側皮革材料１６ａの一部（突出部）が指袋３の伸びる方向に対して斜め方向に伸びているため、この近傍では伸縮部材１８も指袋３の伸びる方向に対して斜め方向に伸びる。また、上述のように手甲先端側皮革材料１６ａの上記第１の部分の付根側の端部（第１の部分の付根側端部のうち最も指先側の部分２２ｂ）は、一方および他方の側部２４ａ、２４ｂより先端側に位置する。
【００４９】
その結果、伸縮部材１８は、指袋の伸びる方向に関するすべての場所において指袋の外周の少なくとも一部に配置される構成となる。伸縮部材１８が指袋の伸びる方向に関するすべての場所において指袋の外周の少なくとも一部に配置され、これが適宜伸縮する。このため、指袋３は指の太さの異なる幅広い使用者に対して装着時（特に装着した状態で指を曲げたとき）の適度なフィット感を提供することができる。
【００５０】
使用者が指を屈曲させた際には、指袋３（中指袋１３）の第２関節部位２２が大きく変形することから、この部分からの力を特に強く感じる。本実施の形態による手袋１０では、第２関節部位２２の指接続部１３Ｃの手甲先端側皮革材料１６ａが指袋３の伸びる方向に対して斜め方向に伸びるように配置されているため、第２関節部位２２およびその近傍において伸縮部材１８が指袋３の伸びる方向に対して斜め方向に伸びるように配置されている。その結果、伸縮部材１８が指袋の伸びる方向に関するすべての場所において指袋の外周の少なくとも一部に配置されるため、指袋３が幅広い使用者に対して装着時の適度なフィット感を提供することができる。
【００５１】
さらに第２関節部位２２において伸縮部材１８が指手甲部１３Ｂの幅方向に伸びる部分を有している。このため特に使用者が手袋１０を装着した状態で指を屈曲させた場合においても、特に強い力を感じる第２関節部位２２において幅方向に伸びる伸縮部材１８の部分が適宜伸縮することにより、第２関節部位２２において使用者が指袋より感じる力を低減し、適度なフィット感を与えることができる。
【００５２】
上記の効果は、指袋３のなかでも特に中指袋１３および薬指袋１４において顕著となる。このため少なくとも中指袋１３および薬指袋１４が上記の構成を備えることが特に好ましいと言える。
【００５３】
図６を参照して、この中指袋１３の概略側面図は基本的に図４の中指袋１３の概略側面図と同様の構成を有しているが、中指袋１３の伸びる方向に関して伸縮部材１８が配置されない領域が、第２関節部位２２の一部に存在する。この点において、図６の構成は図４（図３〜図５）の構成と異なっている。
【００５４】
上記のように図６の伸縮部材１８が配置される領域は図５の伸縮部材露出部１９に相当する。そのため、図６の構成においても実際には図４の構成と同様に（手甲先端側皮革材料１６ａにより部分的に被覆された）伸縮部材１８が（第２関節部位２２における中指袋１３の伸びる方向に関するすべての領域に）配置される場合もあるが、配置されない場合もある。
【００５５】
（実施の形態２）
図７〜図９を参照しながら、実施の形態２の指袋３の構成について詳細に説明する。
【００５６】
図７を参照して、本実施の形態の手袋１０の指袋３（中指袋１３）の構成は、図３に示す実施の形態１の指袋３（中指袋１３）の構成と比較して、第１関節部位２１の指接続部１３Ｃにおいて、手甲先端側皮革材料１６ａと手掌側皮革材料１７とが互いに直接接続されている点において異なっている。
【００５７】
その結果、本実施の形態の手甲先端側皮革材料１６ａは、実施の形態１の手甲先端側皮革材料１６ａよりも中指袋１３の伸びる方向に関する長さが短く、本実施の形態の手甲付根側皮革材料１６ｂは、実施の形態１の手甲付根側皮革材料１６ｂよりも中指袋１３の伸びる方向に関する長さが長い。
【００５８】
以下にこのことについてより詳細に説明する。第１関節部位２１は、使用者の指のいわゆる第１関節に当接可能な部位であり、第２関節部位２２（図３参照）よりも指袋の先端側に位置する。ここでは（特に第１関節部位２１における）一方の側部２３ａと、第１関節部位２１における他方の側部２３ｂとの２か所で、手甲先端側皮革材料１６ａと手掌側皮革材料１７とが互いに直接接続されている。
【００５９】
したがって図７および図８を参照して、指手甲部１３Ｂの手甲先端側皮革材料１６ａは、その一部が指接続部１３Ｃ（具体的には一方および他方の側部２３ａ，２３ｂ）まで伸びるように配置されている。
【００６０】
手甲先端側皮革材料１６ａは、中指袋１３の第１関節部位２１よりも先端側において、中指袋１３の伸びる方向に沿って、中指袋１３の伸びる方向に交差する方向である幅方向のほぼ全体を占めるように（ほぼ一定の幅を有するように）配置されている。ただし手甲先端側皮革材料１６ａは、第１関節部位２１においては、幅方向に関する側部近傍すなわち指接続部１３Ｃの近傍のみに配置されている。指接続部１３Ｃ（一方および他方の側部２３ａ，２３ｂ）で中指袋１３の側部近傍のみに配置される手甲先端側皮革材料１６ａは、中指袋１３の伸びる方向に対して斜め方向に伸びている。
【００６１】
図７および図８を参照して、第１関節部位２１においては手甲先端側皮革材料１６ａと手掌側皮革材料１７とが（指接続部１３Ｃの）一方の側部２３ａおよび他方の側部２３ｂとの２か所で直接接続されるが、それ以外の領域では手甲先端側皮革材料１６ａ（手甲付根側皮革材料１６ｂ）と手掌側皮革材料１７とは（指接続部１３Ｃの）伸縮部材１８により接続される。
【００６２】
第１関節部位２１において手甲付根側皮革材料１６ｂの周囲を取り巻く伸縮部材１８は、実施の形態１と同様に、中指袋１３の伸びる方向に対して斜め方向に伸びている。つまり図８の領域２１ａに示すように、特に第１関節部位２１において指手甲部１３Ｂから指接続部１３Ｃを経由して指手掌部１３Ｐにまで伸びる伸縮部材１８は、指手甲部１３Ｂ側から指手掌部１３Ｐ側に向かうにつれて付根側に向かうように斜め方向に伸びている。このため、伸縮部材１８は、中指袋１３の伸びる方向に関するすべての場所において、中指袋１３の外周の少なくとも一部に配置されている。
【００６３】
図８を参照して、まず手甲付根側皮革材料１６ｂの周囲を取り巻く伸縮部材１８に着目する。この伸縮部材１８は、中指袋１３の付根側から領域２１ａを経由して部分２１ｂにまで伸びている。次に手甲先端側皮革材料１６ａの周囲を取り巻く伸縮部材１８に着目する。この伸縮部材１８は、一方および他方の側部２３ａ，２３ｂの先端側の端部２１ｃおよび端部２１ｃより先端側の指接続部１３Ｃに位置し、手甲先端側皮革材料１６ａの周囲を連続的に囲むように伸びている。なお端部２１ｄは、一方および他方の側部２３ａ，２３ｂの付根側の端部である。
【００６４】
このため仮に、中指袋１３の伸びる方向に関して部分２１ｂと端部２１ｃとが同じ位置にあるか、部分２１ｂが端部２１ｃより先端側に位置すれば、中指袋１３の伸びる方向に関するすべての場所において中指袋１３の外周の一部に伸縮部材１８が配置されることになる。
【００６５】
なお、これ以外の本実施の形態の構成は、図３〜図５に示す実施の形態１の構成とほぼ同じであるため同一の要素については同一の符号を付し、その説明は繰り返さない。
【００６６】
次に、本実施の形態の作用効果について説明する。
本実施の形態においては、手甲先端側皮革材料１６ａが、第１関節部位２１において、幅方向に関する側部近傍（指接続部１３Ｃの近傍）のみに配置され、そこでは手甲先端側皮革材料１６ａは中指袋１３の伸びる方向に対して斜め方向に伸びている。
【００６７】
使用者が指を屈曲させた際には、指袋３（中指袋１３）の第１関節部位２１が大きく変形することから、この部分からの力を特に強く感じる。本実施の形態による手袋１０では、第１関節部位２１の指接続部１３Ｃの手甲先端側皮革材料１６ａが指袋３の伸びる方向に対して斜め方向に伸びるように配置されているため、第１関節部位２１およびその近傍において伸縮部材１８が指袋３の伸びる方向に対して斜め方向に伸びるように配置されている。その結果、伸縮部材１８が指袋の伸びる方向に関するすべての場所において指袋の外周の少なくとも一部に配置されるため、指袋３が幅広い使用者に対して装着時の適度なフィット感を提供することができる。
【００６８】
本実施の形態においては、第１関節部位２１において伸縮部材１８が中指袋１３の幅方向に伸びる部分を有している。このため特に使用者が手袋１０を装着した状態で指を屈曲させた場合においても、第１関節部位２１において幅方向に伸びる伸縮部材１８の部分が適宜伸縮することにより、第１関節部位２１において使用者が指袋より感じる力を低減し、適度なフィット感を与えることができる。
【００６９】
使用者が指を屈曲させた際には、第２関節部位２２に次いで第１関節部位２１からの力を強く感じる。このため第１関節部位２１の伸縮部材１８を実施の形態１の第２関節部位２２と同様の構成とすることにより、実施の形態１の第２関節部位２２の構成による作用効果と同様の作用効果を奏することができる。
【００７０】
（実施の形態３）
図１０〜図１２を参照して、本実施の形態の手袋１０の指袋３（中指袋１３）の構成は、実施の形態１の第２関節部位２２の構成と実施の形態２の第１関節部位２１の構成とを組み合わせたものである。すなわち本実施の形態の中指袋１３は、実施の形態２と同様の手甲先端側皮革材料１６ａと、実施の形態１と同様の手甲付根側皮革材料１６ｂとを有している。そして手甲先端側皮革材料１６ａと手甲付根側皮革材料１６ｂとの間には（中指袋１３の伸びる方向に関する中央部には）、手甲中央部皮革材料１６ｃが配置されている。
【００７１】
手甲先端側皮革材料１６ａと手甲中央部皮革材料１６ｃとの間には、実施の形態２と同様に第１関節部位２１で中指袋１３の延びる方向に対して斜め方向に伸び、かつ中指袋１３の幅方向に伸びる伸縮部材１８が配置されている。また手甲付根側皮革材料１６ｂと手甲中央部皮革材料１６ｃとの間には、実施の形態１と同様に第２関節部位２２で中指袋１３の延びる方向に対して斜め方向に伸び、かつ中指袋１３の幅方向に伸びる伸縮部材１８が配置されている。
【００７２】
なお、これ以外の本実施の形態の構成は、実施の形態１，２の構成とほぼ同じであるため同一の要素については同一の符号を付し、その説明は繰り返さない。
【００７３】
本実施の形態では、第１関節部位２１と第２関節部位２２との双方に上記の伸縮部材１８が配置されるため、第１関節部位２１と第２関節部位２２との双方において伸縮部材１８が適宜伸縮する。このため使用者は指に適度なフィット感を得ることができる。
【００７４】
また本実施の形態では、指接続部１３Ｃのうち中指袋の薬指側接続部１３ｓ１と中指袋の人差し指側接続部１３ｓ２とのそれぞれに２か所ずつ、合計４か所の、手甲側皮革材料１６と手掌側皮革材料１７とが直接接続された領域が存在する。このため実施の形態１，２の手袋１０よりもいっそう、指袋を適切な長さに保つ機能を高めることができる。
【００７５】
上述した実施の形態と一部重複する部分もあるが、本願発明の特徴的な構成を以下に列挙する。
【００７６】
（１）この発明に従った手袋１０は、使用者の指を収納可能な指袋３を備える手袋１０である。上記指袋３は、使用者の指の手甲側に当接可能な指手甲部１３Ｂと、使用者の指の手掌側に当接可能な指手掌部１３Ｐと、指手甲部と指手掌部とを接続する指接続部１３Ｃとを含む。上記指手甲部の先端側には第１皮革材料１６ａを有し、指手掌部は手掌側皮革材料１７を有し、指接続部のうち指袋の伸びる方向に交差する幅方向における一方の側部２４ａおよび一方の側部に対向する他方の側部２４ｂの２か所で、第１皮革材料１６ａと手掌側皮革材料１７とが互いに直接接続される。上記指接続部１３Ｃのうち一方および他方の側部２３ａ，２３ｂ，２４ａ，２４ｂ以外の領域では第１皮革材料１６ａと手掌側皮革材料１７とが伸縮部材１８により接続されている。
【００７７】
一方の側部２３ａ，２４ａと他方の側部２３ｂ，２４ｂとにおいては指手甲部１３Ｂと指手掌部１３Ｐとが、伸縮部材１８を挟むことなく互いに直接接続される。このため、指手甲部１３Ｂと指手掌部１３Ｐとが側部の全体において伸縮部材１８を介在して接続された場合に起こり得る、手袋１０の装着時に指袋３が伸びすぎて使用者の指の先端部に指袋３が余りすぎることにより使用者が不快感を覚える不具合の可能性を低減することができる。
【００７８】
また当該手袋１０は、上記一方の側部２３ａ，２４ａと他方の側部２３ｂ，２４ｂ以外の領域においては指手甲部１３Ｂと指手掌部１３Ｐとが側部において伸縮部材１８を介在して接続されている。このため使用者の指のサイズに追随して当該接続部が適宜伸縮することが可能となる。したがって指のサイズが異なる幅広い使用者に快適なフィット感を提供することができる。
【００７９】
以上より、上記手袋１０は、指袋３の長さ方向および幅方向の双方向に関して、使用者に快適なフィット感を提供することができる。
【００８０】
（２）上記（１）の手袋１０は、指接続部１３Ｃのうち一方および他方の側部２３ａ，２３ｂ，２４ａ，２４ｂでは、第１皮革材料１６ａの一部が指袋３の伸びる方向に対して斜め方向に伸びている。
【００８１】
このような構成を有するため、手袋１０は、指袋３の伸びる方向に関するすべての場所において指袋の外周の少なくとも一部に伸縮部材１８が配置される構成となる。したがって当該伸縮部材１８の伸縮により、指袋３は指のサイズの異なる幅広い使用者に対して、また使用者が指を伸ばしたり曲げたりするなどの幅広い動作に対して、装着時の適度なフィット感を提供することができる。
【００８２】
（３）上記（２）の手袋１０は、使用者の指の第２関節に当接可能な第２関節部位２２における指接続部１３Ｃで、第１皮革材料１６ａの一部が指袋３の伸びる方向に対して斜め方向に伸びている。
【００８３】
このような構成を有するため、特に使用者が指を曲げた際に大きく変形するため強い力を使用者の指に加える第２関節部位２２において、指袋３は指のサイズの異なる幅広い使用者に対して、また使用者が指を伸ばしたり曲げたりするなどの幅広い動作に対して、装着時の適度なフィット感を提供することができる。
【００８４】
（４）上記（２）または（３）の手袋１０は、使用者の指の第１関節に当接可能な第１関節部位２１における指接続部１３Ｃで、第１皮革材料１６ａの一部が指袋３の伸びる方向に対して斜め方向に伸びている。
【００８５】
このような構成を有するため、特に使用者が指を曲げた際に大きく変形するため強い力を使用者の指に加える第１関節部位２１において、指袋３は指のサイズの異なる幅広い使用者に対して、また使用者が指を伸ばしたり曲げたりするなどの幅広い動作に対して、装着時の適度なフィット感を提供することができる。
【００８６】
（５）上記（１）〜（４）のいずれかの手袋１０は、上記第１皮革材料１６ａの付根側端部２１ｂ，２２ｂには伸縮部材１８の一部が接続されており、指袋３の伸びる方向において、指手甲部１３Ｂにおける第１皮革材料１６ａの付根側端部のうち最も指先側の部分２１ｂ，２２ｂは、一方および他方の側部２３ａ，２３ｂ，２４ａ，２４ｂより指先側に位置する。
【００８７】
このため指袋３の延びる方向に関するすべての場所において指袋３の外周の一部に伸縮部材１８が配置されることになる。したがって指袋３は幅広い使用者に対して、指袋３の延びる方向に関するすべての場所において、伸縮部材１８の伸縮による、装着時の適度なフィット感を提供することができる。
【００８８】
（６）上記（１）〜（５）のいずれかの手袋１０は、指袋の伸びる方向に関するすべての場所において指袋の外周の少なくとも一部に配置される。
【００８９】
このような構成を有するため、指袋３は指のサイズの異なる幅広い使用者に対して、また使用者が指を伸ばしたり曲げたりするなどの幅広い動作に対して、装着時の適度なフィット感を提供することができる。
【００９０】
（７）上記（１）〜（６）のいずれかの手袋１０は、伸縮部材１８は、第１皮革材料１６ａ下に延在し、指手甲部１３Ｂの内周面を覆うように形成されている。
【００９１】
このため使用者は指袋３（中指袋１３）内部の伸縮部材１８の端部に引っかかることなくスムーズに指を出し入れすることができる。
【００９２】
（８）上記（１）〜（７）のいずれかの手袋１０は、指袋３は使用者の中指を収納可能な中指袋１３または薬指を収納可能な薬指袋１４である。
【００９３】
中指袋１３および薬指袋１４において上記の構成を有することにより、使用者の装着時におけるフィット感を高める効果がいっそう高められる。
【００９４】
（９）上記（１）〜（８）のいずれかの手袋１０は、指手甲部の第１皮革材料よりも付根側には第２皮革材料１６ｂを有する。
【００９５】
第２皮革材料１６ｂを有することにより、指袋３の付根側において装着時に指袋３が過剰に伸張する可能性を低減し、結果的に使用者に対して高いフィット感を提供することができる。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９７】
１  手甲部本体、２  手掌部本体、３  指袋、４  手首部、１０  手袋、１０Ｂ  手甲部、１０Ｃ  接続部、１０Ｐ  手掌部、１１  親指袋、１２  人差し指袋、１２ｓ１  人差し指袋の親指側接続部、１３  中指袋、１３Ｂ  指手甲部、１３Ｃ  指接続部、１３Ｐ  指手掌部、１３ｓ１  中指袋の薬指側接続部、１３ｓ２  中指袋の人差し指側接続部、１４  薬指袋、１５  小指袋、１６  手甲側皮革材料、１６ａ  手甲先端側皮革材料、１６ｂ  手甲付根側皮革材料、１７  手掌側皮革材料、１８  伸縮部材、１９  伸縮部材露出部、２１  第１関節部位、２１ａ，２２ａ  領域、２１ｂ，２２ｂ  部分、２１ｃ，２１ｄ，２２ｃ，２２ｄ  端部、２２  第２関節部位、２３ａ，２４ａ  一方の側部、２３ｂ，２４ｂ  他方の側部。
【図１】
2014221949.tif 000003
【図２】
2014221949.tif 000004
【図３】
2014221949.tif 000005
【図４】
2014221949.tif 000006
【図５】
2014221949.tif 000007
【図６】
2014221949.tif 000008
【図７】
2014221949.tif 000009
【図８】
2014221949.tif 000010
【図９】
2014221949.tif 000011
【図１０】
2014221949.tif 000012
【図１１】
2014221949.tif 000013
【図１２】
2014221949.tif 000014